(57)【特許請求の範囲】
【請求項１】
第１のキャリア周波数においてセルに提供されるマルチキャストサービスのセットに対して、少なくとも１つのマルチキャストサービスの出現又は消失を含む変化があることをネットワークノードによって決定する段階と、
出現又は消失するマルチキャストサービスの少なくとも１つだけを特定するブロードキャストメッセージをコンパイルする段階と、
異なる第２のキャリア周波数において前記セルに前記ブロードキャストメッセージを送信する段階と、
を含む方法。
【請求項２】
前記ブロードキャストメッセージは、少なくとも１つの出現又は消失するマルチキャストサービスの各々に対する識別子を含む、請求項１に記載の方法。
【請求項３】
前記決定段階は、ベースステーションから受信したメッセージに基づく、請求項１に記載の方法。
【請求項４】
マルチメディアブロードキャストサービス無線ネットワーク一時的識別子でスクランブルされた物理的ダウンリンクコントロールチャンネルブロードキャストメッセージをコンパイルする段階を更に含み、その識別子は、システム情報ブロックが変化することを指示する、請求項１に記載の方法。
【請求項５】
前記物理的ダウンリンクコントロールチャンネルブロードキャストメッセージは、マルチキャストサービスを提供する周波数セルにおいてどのマルチキャストコントロールチャンネルがコンテンツを変化させたかの指示を含む、請求項４に記載の方法。
【請求項６】
コンピュータ読み取り可能な記録媒体に記憶されて少なくとも１つのプロセッサで実行されるコンピュータプログラムにより遂行される請求項１から５のいずれかに記載の方法。
【請求項７】
少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサと共に、その装置が、少なくとも、
第１のキャリア周波数においてセルに提供されるマルチキャストサービスのセットに対して、少なくとも１つのマルチキャストサービスの出現又は消失を含む変化があることを決定し、
出現又は消失するマルチキャストサービスの少なくとも１つだけを特定するブロードキャストメッセージをコンパイルし、及び
異なる第２のキャリア周波数において前記セルに前記ブロードキャストメッセージを送信する、
ようにさせるよう構成された装置。
【請求項８】
前記変化は、出現又は消失するマルチキャストサービスのセットの中の少なくとも１つのマルチキャストサービスを含み、前記コンピュータプログラムコードを含む少なくとも１つのメモリは、少なくとも１つのプロセッサと共に、その装置が、少なくとも１つの出現又は消失するマルチキャストサービスの各々に対する識別子でブロードキャストメッセージをコンパイルするようにさせるよう構成された、請求項７に記載の装置。
【請求項９】
前記決定は、ベースステーションから受信されたメッセージに基づく、請求項７に記載の装置。
【請求項１０】
前記コンピュータプログラムコードを含む少なくとも１つのメモリは、少なくとも１つのプロセッサと共に、その装置が、マルチメディアブロードキャストサービス無線ネットワーク一時的識別子でスクランブルされた物理的ダウンリンクコントロールチャンネルブロードキャストメッセージをコンパイルするようにさせるよう構成され、その識別子は、システム情報ブロックが変化することを指示する、請求項７に記載の装置。
【請求項１１】
前記物理的ダウンリンクコントロールチャンネルブロードキャストメッセージは、マルチキャストサービスを提供するセルにおいてどのマルチキャストコントロールチャンネルがコンテンツを変化させたかの指示を含む、請求項１０に記載の装置。
【請求項１２】
第１のキャリア周波数においてセルに提供されるマルチキャストサービスのセットに対して、少なくとも１つのマルチキャストサービスの出現又は消失を含む変化があることを決定する手段と、
出現又は消失するマルチキャストサービスの少なくとも１つだけを特定するブロードキャストメッセージをコンパイルする手段と、
異なる第２のキャリア周波数において前記セルにブロードキャストメッセージを送信する手段と、を備えた装置。
【請求項１３】
前記決定手段及びコンパイル手段は、少なくとも１つのプロセッサにより実行されるコンピュータプログラムコードを含む少なくとも１つの非一時的コンピュータ読み取り可能な記録媒体を含み、そして前記送信手段は、通信ネットワークへのインターフェイスを含む、請求項１２に記載の装置。
【請求項１４】
あるキャリア周波数においてセルによりサービスされるユーザ装置に、少なくとも１つの他のキャリア周波数において少なくとも１つの他のセルで利用できるマルチキャストサービスが通知されるとの指示を前記ユーザ装置から受け取る段階と、
前記指示に応答して、前記ユーザ装置に、前記少なくとも１つの他のキャリア周波数において前記少なくとも１つの他のセルで利用できるマルチキャストサービスの識別子を含むメッセージをシグナリングする段階と、
を含む方法。
【請求項１５】
少なくとも１つのメモリで実施されて少なくとも１つのプロセッサで実行される少なくとも１つのコンピュータプログラムにより遂行される請求項１４に記載の方法。
【請求項１６】
少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサと共に、その装置が、少なくとも、
あるキャリア周波数においてセルによりサービスされるユーザ装置に、少なくとも１つの他のキャリア周波数において少なくとも１つの他のセルで利用できるマルチキャストサービスが通知されるとの指示を前記ユーザ装置で受け取り、及び
前記指示に応答して、前記ユーザ装置に、前記少なくとも１つの他のキャリア周波数において前記少なくとも１つの他のセルで利用できるマルチキャストサービスの識別子を含むメッセージをシグナリングする、
ようにさせるよう構成された装置。
【請求項１７】
あるキャリア周波数においてセルによりサービスされるユーザ装置から、少なくとも１つの他のキャリア周波数において少なくとも１つの他のセルで利用できるマルチキャストサービスが前記ユーザ装置に通知されるとの指示を受け取る手段と、
前記指示に応答して、前記ユーザ装置に、前記少なくとも１つの他のキャリア周波数において前記少なくとも１つの他のセルで利用できるマルチキャストサービスの識別子を含むメッセージをシグナリングする手段と、
を備えた装置。
【請求項１８】
前記受信手段は、受信器を含み、そして前記シグナリング手段は、送信器を含む、請求項１７に記載の装置。
【請求項１９】
あるキャリア周波数においてあるセルから、少なくとも１つの他のキャリア周波数において少なくとも１つの他のセルで少なくとも１つのマルチキャストサービスが利用できるとの指示を含むメッセージをユーザ装置によって受信する段階と、
前記指示に応答して、前記少なくとも１つの他のキャリア周波数において前記少なくとも１つの他のセルで利用できる少なくとも１つのマルチキャストサービスを前記ユーザ装置に通知するとの指示を前記ユーザ装置によって送信する段階と、
を含む方法。
【請求項２０】
少なくとも１つのメモリで実施されて少なくとも１つのプロセッサで実行される少なくとも１つのコンピュータプログラムにより遂行される請求項１９に記載の方法。
【請求項２１】
少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサと共に、その装置が、少なくとも、
あるキャリア周波数においてあるセルから、少なくとも１つの他のキャリア周波数において少なくとも１つの他のセルで少なくとも１つのマルチキャストサービスが利用できるとの指示をユーザ装置によって受信し、及び
前記指示に応答して、前記少なくとも１つの他のキャリア周波数において前記少なくとも１つの他のセルで利用できる前記少なくとも１つのマルチキャストサービスを前記ユーザ装置に通知するとの指示を送信する、
ようにさせるよう構成された装置。
【請求項２２】
あるキャリア周波数においてあるセルから、少なくとも１つの他のキャリア周波数において少なくとも１つの他のセルで少なくとも１つのマルチキャストサービスが利用できるとの指示をユーザ装置によって受信する手段と、
前記指示に応答して、前記少なくとも１つの他のキャリア周波数において前記少なくとも１つの他のセルで利用できる前記少なくとも１つのマルチキャストサービスを前記ユーザ装置に通知するとの指示を送信する手段と、
を備えた装置。
【請求項２３】
前記受信手段は、受信器を含み、そして前記送信手段は、送信器を含む、請求項２２に記載の装置。
【発明の詳細な説明】
【技術分野】
【０００１】
本発明は、一般的に、マルチメディアブロードキャストサービス（ＭＢＭＳ）をサポートするネットワークに関する。
【背景技術】
【０００２】
本章は、特許請求の範囲に規定する発明の背景又は状況を示すことが意図される。ここでの説明は、達成はできるが必ずしも以前に考案され又は達成されたものではない概念を含み得る。それ故、特に指示のない限り、本章に述べることは、本出願の明細書及び特許請求の範囲に対する従来技術ではなく、且つ本章に含ませることにより従来技術であると認めるものではない。
【０００３】
明細書及び／又は図面に見られる以下の省略形は、次のように定義される。
ＢＣＣＨ：ブロードキャストコントロールチャンネル
ＬＴＥ：長期進化
ＭＢＭＳ：マルチメディアブロードキャスト−マルチキャストサービス
ＭＢＳＦＮ：ＭＢＭＳ単一周波数ネットワーク
ＭＣＣ：移動国コード
ＭＣＣＨ：ＭＢＭＳコントロールチャンネル
ＭＣＮ：移動ネットワークコード
ＭＮＯ：移動ネットワークオペレータ
Ｍ−ＲＮＴＩ：ＭＢＭＳ無線ネットワーク一時的識別子
ＰＤＣＣＨ：物理的ダウンロードコントロールチャンネル
ＲＮＴＩ：無線ネットワーク一時的識別子
ＳＩＢ：システム情報ブロック
ＴＭＧＩ：一時的移動グループアイデンティティ
ＵＴＲＡＮ：ユニバーサル地上無線アクセスネットワーク
【０００４】
ＬＴＥ  Ｒｅｌ−１０規格では、マルチメディアブロードキャスト−マルチキャストサービス（ＭＢＭＳ）は、単一キャリア配備についてのみ最適なものとされる。この形式の配備では、ＲＲＣ＿Ｉｄｌｅ状態にあるターミナルに対して、セル再選択ルールは、ＭＢＭＳ受信のための例外は作らない。更に、この形式のネットワークにおいてＲＲＣ＿Ｃｏｎｎｅｃｔｅｄ状態にあるターミナルは、ＭＢＭＳ受信におそらく関心があることをネットワークに通知する手段がない。従って、これらの状態のいずれにおいても、ターミナルには、ある周波数で利用できるＭＢＭＳサービスを中断なく受信する手段が設けられていない。
【発明の概要】
【発明が解決しようとする課題】
【０００５】
本発明により対処される問題を理解するため、おそらく一度に１つの周波数キャリアでしか情報を受信できないＲＲＣ＿Ｃｏｎｎｅｃｔｅｄ状態にあるターミナルが、ある周波数キャリアにおけるユニキャストデータ転送に関与する間に、ＭＢＭＳサービスセッションが別のキャリアにおいてブロードキャストされ又はブロードキャストされ始めることだけを考えればよい。ＭＢＭＳサービスが異なる周波数で利用でき又は利用できるようになることをそのようなターミナルに通知するよう試みるためには、ＬＴＥ  Ｒｅｌ−１０に指定された以上のシグナリングメカニズムが必要であることが提案される。
【課題を解決するための手段】
【０００６】
本発明の規範的な態様によれば、あるキャリア周波数においてセルに提供されるマルチキャストサービスのセットに対して変化があることを決定し、マルチキャストサービスのセットに対するその変化のみの指示を含むブロードキャストメッセージをコンパイルし、そして異なるキャリア周波数においてセルにブロードキャストメッセージを送信することを含む方法が提供される。
【０００７】
本発明の規範的な態様によれば、少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサと共に、その装置が、少なくとも、あるキャリア周波数においてセルに提供されるマルチキャストサービスのセットに対して変化があることを決定し、マルチキャストサービスのセットに対するその変化のみの指示を含むブロードキャストメッセージをコンパイルし、そして異なるキャリア周波数においてセルにブロードキャストメッセージを送信する、ようにさせるよう構成された装置が提供される。
【０００８】
本発明の規範的な態様によれば、あるキャリア周波数においてセルに提供されるマルチキャストサービスのセットに対して変化があることを決定する手段と、マルチキャストサービスのセットに対するその変化のみの指示を含むブロードキャストメッセージをコンパイルする手段と、異なるキャリア周波数においてセルにブロードキャストメッセージを送信する手段と、を備えた装置が提供される。
【０００９】
本発明の別の規範的な態様によれば、あるキャリア周波数においてセルによりサービスされるターミナル装置に、少なくとも１つの他のキャリア周波数において少なくとも１つの他のセルで利用できるマルチキャストサービスが通知されるとの指示を受け取り、そしてその指示に応答して、そのターミナル装置に、少なくとも１つの他のキャリア周波数において少なくとも１つの他のセルで利用できるマルチキャストサービスの識別子をシグナリングする、ことを含む方法が提供される。
【００１０】
本発明の規範的な態様によれば、少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサと共に、その装置が、少なくとも、あるキャリア周波数においてセルによりサービスされるターミナル装置に、少なくとも１つの他のキャリア周波数において少なくとも１つの他のセルで利用できるマルチキャストサービスが通知されるとの指示を受け取り、そしてその指示に応答して、そのターミナル装置に、少なくとも１つの他のキャリア周波数において少なくとも１つの他のセルで利用できるマルチキャストサービスの識別子をシグナリングする、ようにさせるよう構成された装置が提供される。
【００１１】
本発明の更に別の規範的な態様によれば、あるキャリア周波数においてセルによりサービスされるターミナル装置から、少なくとも１つの他のキャリア周波数において少なくとも１つの他のセルで利用できるマルチキャストサービスがターミナル装置に通知されるとの指示を受け取る手段と、その指示に応答して、そのターミナル装置に、少なくとも１つの他のキャリア周波数において少なくとも１つの他のセルで利用できるマルチキャストサービスの識別子をシグナリングする手段と、を備えた装置が提供される。
【００１２】
本発明の規範的な態様によれば、あるキャリア周波数においてあるセルから、少なくとも１つの他のキャリア周波数において少なくとも１つの他のセルで少なくとも１つのマルチキャストサービスが利用できるとの指示を受信し、そしてその指示に応答して、少なくとも１つの他のキャリア周波数において少なくとも１つの他のセルで利用できる少なくとも１つのマルチキャストサービスをターミナル装置に通知するとの指示を送信する、ことを含む方法が提供される。
【００１３】
本発明の規範的な態様によれば、少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサと共に、その装置が、少なくとも、あるキャリア周波数においてあるセルから、少なくとも１つの他のキャリア周波数において少なくとも１つの他のセルで少なくとも１つのマルチキャストサービスが利用できるとの指示を受信し、そしてその指示に応答して、少なくとも１つの他のキャリア周波数において少なくとも１つの他のセルで利用できる少なくとも１つのマルチキャストサービスをターミナル装置に通知するとの指示を送信する、ようにさせるよう構成された装置が提供される。
【００１４】
本発明の以上の態様及び他の態様は、以下の詳細な説明を、添付図面を参照して読んだときに明らかとなろう。
【図面の簡単な説明】
【００１５】
【図１】ここに開示する本発明の規範的実施形態を効果的に具現化できるマルチ周波数カバレージエリアを含む無線環境を示す図である。
【図２Ａ】少なくとも図１及び３に示す種々の装置の観点から本発明の規範的な実施形態を具現化するための方法の動作及びコンピュータ読み取り可能なメモリで実施されるコンピュータプログラムインストラクションの実行結果を示す論理フローチャートである。
【図２Ｂ】少なくとも図１及び３に示す種々の装置の観点から本発明の規範的な実施形態を具現化するための方法の動作及びコンピュータ読み取り可能なメモリで実施されるコンピュータプログラムインストラクションの実行結果を示す論理フローチャートである。
【図２Ｃ】少なくとも図１及び３に示す種々の装置の観点から本発明の規範的な実施形態を具現化するための方法の動作及びコンピュータ読み取り可能なメモリで実施されるコンピュータプログラムインストラクションの実行結果を示す論理フローチャートである。
【図３】本発明の規範的な実施形態の具現化に使用するのに適した規範的な電子装置の簡単なブロック図である。
【図４】３ＧＰＰ  ＴＳ  ３６.３３１  Ｖ１０.２.０の図５.８.１.３−１を再現したものである。
【発明を実施するための形態】
【００１６】
それ故、少なくとも上述した問題を考慮すれば、少なくとも、移動装置のようなターミナルに、例えば、そのターミナルがＲＲＣ＿Ｃｏｎｎｅｃｔｅｄ状態にある間に、別の周波数キャリアにおいて利用可能な進行中のマルチメディアブロードキャスト−マルチキャストサービス（ＭＢＭＳ）についてシグナリングする技術を提供することが望まれる。
【００１７】
一般的に、ＭＢＭＳコントロール情報は、ＭＢＭＳ共通コントロール情報に特有の論理的チャンネル（ＭＣＣＨ）に送られる。ネットワークが複数のＭＢＳＦＮエリアを構成する場合には、ＵＥは、受信に関心のあるサービスが進行中であるかどうか識別するように構成されたＭＢＭＳコントロール情報をＭＣＣＨから取得する。ＭＢＭＳケーパブルＵＥは、一度に１つのＭＢＭＳサービスの受信をサポートすることしか要求されず、２つ以上のＭＢＭＳサービス及び／又は２つ以上のＭＢＳＦＮエリアの受信は、ＵＥの実施に委ねられる。ＭＣＣＨは、進行中のＭＢＭＳセッション及びそれに対応する無線リソース構成を指示するＭＢＳＦＮＡｒｅａＣｏｎｆｉｇｕｒａｔｉｏｎメッセージを搬送する。
【００１８】
ＭＢＭＳコントロール情報は、ＢＣＣＨに送られる。これは、ＭＣＣＨを取得するために必要とされる情報を含む。この情報は、単一のＭＢＭＳ特有のＳｙｓｔｅｍＩｎｆｏｒｍａｔｉｏｎＢｌｏｃｋ：ＳｙｓｔｅｍＩｎｆｏｒｍａｔｉｏｎＢｌｏｃｋＴｙｐｅ１３により搬送される。
【００１９】
ＭＣＣＨ情報の変化は、特定の無線フレームにおいてのみ生じ、即ち変更周期の概念が使用される。変更周期内に、同じＭＣＣＨ情報が、（繰り返し周期に基づく）スケジュールで決定された回数だけ送信される。変更周期の境界は、変更周期を構成する無線フレームの数をｍとすれば、ＳＦＮ  ｍｏｄ  ｍ＝０であるＳＦＮ値によって定義される。変更周期は、ＳｙｓｔｅｍＩｎｆｏｒｍａｔｉｏｎＢｌｏｃｋＴｙｐｅ１３によって構成される。
【００２０】
ネットワークは、ＭＣＣＨ情報を変化させると、第１の変更周期中にその変化についてＵＥに通知する。次の変更周期中に、ネットワークは、更新されたＭＣＣＨ情報を送信する。これらの一般的な原理が図４に示されており、異なる色は、異なるＭＣＣＨ情報を表わす。変化通知を受け取ると、ＭＢＭＳサービスを受けることに関心のあるＵＥは、次の変更周期の開始から直ちに新たなＭＣＣＨ情報を取得する。ＵＥは、新たなＭＣＣＨ情報を取得するまで、以前に取得したＭＣＣＨ情報を適用する。
【００２１】
ＰＤＣＣＨにおけるＭＢＭＳ特有のＲＮＴＩ、即ちＭ−ＲＮＴＩの指示は、ＲＲＣ＿ＩＤＬＥにあるＵＥ及びＲＲＣ＿ＣｏｎｎｅｃｔｅｄにあるＵＥに、ＭＣＣＨ情報の変化に関して通知するのに使用される。ＭＣＣＨ情報変化通知を受け取ると、ＵＥは、ＭＣＣＨ情報が次の変更周期の境界で変化することに気付く。ＰＤＣＣＨにおける通知は、どのＭＣＣＨが変化するか指示し、これは、８ビットのビットマップによって行われる。このビットマップでは、ｎｏｔｉｆｉｃａｔｉｏｎＩｎｄｉｃａｔｏｒフィールドで指示された位置のビットを使用して、そのＭＢＳＦＮエリアに対する変化を指示し、ビットが“１”にセットされた場合には、それに対応するＭＣＣＨが変化する。
【００２２】
本発明の規範的な実施形態は、例えば、移動装置がＲＲＣ＿Ｃｏｎｎｅｃｔｅｄ状態にある間に、異なる周波数において進行中の又は利用可能となるＭＢＭＳセッション／サービスについて移動装置に通知することに関連した問題に対処する。
【００２３】
ＲＲＣ＿Ｉｄｌｅ状態又はＲＲＣ＿Ｃｏｎｎｅｃｔｅｄ状態のいずれかにおいてターミナルにサービスする１つの解決策は、システム情報ブロック（ＳＩＢ）にそのようなサービスの一時的移動グループアイデンティティ（ＴＭＧＩ）をリストすることであり、そのＴＭＧＩは、ＭＢＭＳサービスに対するグローバルに独特のアイデンティティであることに注意されたい。そのようなターミナルが現在キャンピングしているか又はユニキャストデータを受信するセルにより、ＴＭＧＩをリストするＳＩＢがブロードキャストされる。しかしながら、これは、ＴＭＧＩの潜在的に大きなサイズを考えれば、欠点である。
【００２４】
各ＴＭＧＩは、シグナリングすべきビットを少なくとも２７個必要とする。ＭＢＭＳをサポートするセルは、数ダース又は数百個までの同時低ビットレートＭＢＭＳセッションを与えるが、ＳＩＢのサイズは、２０００ビットのみに限定される。ＭＢＭＳセルの場合に、このサイズ制約が緩和される。というのは、ＭＢＭＳコントロールチャンネル（ＭＣＣＨ）においてＴＭＧＩをブロードキャストできるからであり、これは、単一周波数ネットワーク（ＭＢＳＦＮ）送信でブロードキャストされるので、著しく無線効率がよい。
【００２５】
ＴＧＭＩのサイズが大きいために、ＳＩＢは、ＭＢＭＳサービスが利用できる周波数キャリアを指示することしかできず、どんなサービスが利用できるかを正確に見出すには、ＲＲＣ＿Ｉｄｌｅ状態にあるターミナルは、ＭＢＭＳセルのＭＣＣＨを受信することが要求されるだけである。ＲＲＣ＿Ｃｏｎｎｅｃｔｅｄ状態にあるターミナルにＭＢＭＳサービスをどのように通知し続けるかに関しては、少なくとも上述した問題が残されている。
【００２６】
Ｒｅｌ−１０  ＬＴＥ  ＭＢＭＳでは、セルが関与する各ＭＢＳＦＮエリアのＭＣＣＨを経て進行中ＭＢＭＳサービスセッション及びそれらのＴＭＧＩがシグナリングされる。新たなサービスセッションの開始は、ＭＣＣＨに新たに現れるサービスセッションとして現れるだけである。そのような新たに開始するセッションのためにＭＢＭＳセルにおいてＭＣＣＨのコンテンツに生じる変化は、Ｍ−ＲＮＴＩと称される専用のＲＮＴＩとスクランブルされる専用目的のＰＤＣＣＨメッセージを使用してターミナルへ通知される。このメッセージは、ＭＢＭＳ特有のＳＩＢ１３におけるＭＣＣＨ構成に沿ってシグナリングされる予め構成された機会にブロードキャストされる。このＰＤＣＣＨメッセージフォーマットのペイロードは、８ビットのビットマップとして定義され、ここで、‘１’にセットされた各ビットは、セルにおいてブロードキャストされる最大８個のＭＣＣＨの１つにおける変化を指示する（ＭＣＣＨへのビットのマッピングもＳＩＢ１３においてシグナリングされる）。
【００２７】
ＵＴＲＡＮ  ＭＢＭＳは、３ＧＰＰ  ＴＳ  ２５.３４６（２０１１−０３）、第３世代パートナーシッププロジェクト；技術仕様グループ無線アクセスネットワーク；無線アクセスネットワーク（ＲＡＮ）におけるマルチメディアブロードキャスト／マルチキャストサービス（ＭＢＭＳ）の紹介；ステージ２（リリース１０）、セクション１１.２に次のように定義された周波数レイヤ収斂を特徴とする：「周波数レイヤ収斂（ＦＬＣ）は、ＭＢＭＳサービスが送信されることが意図された周波数レイヤを優先的に再選択するようにＵＴＲＡＮがＵＥに要求するプロセスを表わす」。しかしながら、この周波数レイヤ収斂は、セルの再選択に関連していると考えられ、これは、装置がＲＲＣ＿Ｃｏｎｎｅｃｔｅｄ状態にある間に、例えば、周波数間ハンドオーバーの間に、同等の選択を示唆するものではない。
【００２８】
更に、現在のＬＴＥ仕様によれば、システム情報の変更は、３ＧＰＰ  ＴＳ  ３６.３３１（２０１１−０６）、第３世代パートナーシッププロジェクト；技術仕様グループ無線アクセスネットワーク；進化型ユニバーサル地上無線アクセス（Ｅ−ＵＴＲＡ）；無線リソースコントロール（ＲＲＣ）；プロトコル仕様（リリース１０）、セクション５.２.１.３に記述されたようにターミナルへ通知される。手短いに言うと、全てのターミナルは、システム情報の関連部分を再取得するために全てのターミナルをトリガーするシステム情報の（ほとんどの）変化について通知される。
【００２９】
Ｒｅｌ−１１  ＭＢＭＳ作業アイテムＲＰ−１１０４５２は、Ｒｅｌ−１０  ＭＢＭＳに存在するギャップを埋めるようにセットされることに注意されたい。これまでの作業上の１つの仮定として、指定のメカニズムは、ＭＢＭＳが与えられる場合に、それが１つの周波数キャリアにしか与えられないことを仮定する。
【００３０】
しかしながら、少なくとも、上述したように、ＲＲＣ＿Ｃｏｎｎｅｃｔｅｄ状態にある移動ターミナルに、異なる周波数キャリアにおいて利用できるＭＢＭＳサービスについて通知して、例えば、ターミナルが、別のキャリアへの周波数間ハンドオーバーが有利であることをネットワークに通知できるようにすることに関連した問題が依然存在する。
【００３１】
少なくともこれらの問題に対処するために、本発明の規範的な実施形態は、専用のシグナリングにより進行中のマルチメディアブロードキャスト−マルチキャストサービス（ＭＢＭＳ）の一時的移動グループアイデンティティ（ＴＭＧＩ）をシグナリングし及びシステム情報ブロック（ＳＩＢ）により新たに開始するＭＢＭＳサービスのＴＭＧＩをシグナリングする新規な技術を提供する。更に、本発明の規範的な実施形態によれば、これらの新規な技術は、既存のＳＩＢに過負荷を掛けずに又は多数のターミナルに過剰な同時専用シグナリングを生じることなく、遂行される。
【００３２】
通常、新規に定義されたＳＩＢ１３ビットのようなＳＩＢは、ＭＢＭＳサービスが利用できる場合にセルの周波数識別子をシグナリングし及び／又はターミナルがＭ−ＲＮＴＩメッセージを監視すべきであるとの通知をシグナリングできることに注意されたい。次いで、新たに開始するＭＢＭＳサービスのＴＭＧＩをＳＩＢのコンテンツに瞬間的に追加することができる。
【００３３】
３ＧＰＰ  ＴＳ  ３６.３３１  Ｖ１０.０.０によれば、ＩＥ  ＳｙｓｔｅｍＩｎｆｏｒｍａｔｉｏｎＢｌｏｃｋＴｙｐｅ１３は、１つ以上のＭＢＳＦＮエリアに関連したＭＢＭＳコントロール情報を取得するのに必要な情報を含む。
【００３４】
ＲＲＣ＿Ｃｏｎｎｅｃｔｅｄ状態のターミナルに通知し続けるために、本発明の規範的な実施形態は、ＭＢＭＳサービスが１）進行中であるか又は２）新たに開始するか、に基づいて、ＴＭＧＩに関するような情報を与えるシグナリングメカニズムを分離することを含むオペレーションを与える。その理由として、ケース１）は、潜在的に多数のＴＭＧＩがあるが、典型的に、異なる時点で異なるターミナルへのプロビジョニングを必要とし、一方、ケース２）は、典型的に、一度に１つのＴＭＧＩしか含まないが、潜在的に多数のターミナル（即ち、どんなＭＢＭＳサービスが利用できるか知り続けることへの関心を指示するセル内のＲＲＣ＿Ｃｏｎｎｅｃｔｅｄ状態にある全てのターミナル）へのシグナリングを必要とする特徴が挙げられる。
【００３５】
図１は、上述した問題が存在しそして少なくとも以下に述べる理由で本発明の規範的な実施形態が効果的である別のシナリオを示している。図１において、複数のキャリア周波数ＦＲＥＱ１０、ＦＲＥＱ２０及びＦＲＥＱ３０をプロビジョニングするベースステーションが存在する。ＦＲＥＱ１０において、ＵＥ１及びＵＥ２は、ＭＢＭＳサービス／セッションＭＢＭＳ１及びＭＢＭＳ２を受信する。ユーザ装置ＵＥ１、ＵＥ２、ＵＥ３及びＵＥ４は、全て、ベースステーションＢ１のマルチ周波数カバレージエリアのカバレージエリア内にある。この非限定シナリオにおいて、図１に示すように、ＭＢＭＳサービス／セッションは、ＦＲＥＱ１０のみにおいて提供される。しかしながら、２つ以上のキャリア周波数がそのようなマルチ周波数カバレージエリアにおいてそのようなＭＢＭＳサービス／セッションを提供する本発明の規範的な実施形態も具現化される。図１において、ベースステーションＢ１とＦＲＥＱ２０のＵＥ３との間の通信Ｃ２１は、ＦＲＥＱ１０のＭＢＭＳサービスのセットの変化のみに関連した指示（１つ又は複数）のような情報を含む。この変化は、ＦＲＥＱ１０において進行中であるか、新たに開始するか、変化するか及び／又は消失するＭＢＭＳサービスである。更に、規範的な実施形態によれば、通信Ｃ２２は、この情報に対する応答であるか、及び／又はＭＢＭＳサービスの変化に関する情報がＵＥ３により望まれるというＵＥ３からの指示である。
【００３６】
更に、図１を参照すれば、ＦＲＥＱ３０において、通信Ｃ３１及びＣ３２は、ベースステーションＢ１とＦＲＥＱ３０のＵＥ４との間で遂行される。これらのＣ３１及びＣ３２の通信は、上述したＣ２１及びＣ２２と各々同様である。更に、本発明の別の非限定の規範的実施形態において、図１に示すように、ベースステーションＢ１は、ＭＢＭＳ１及び／又はＭＢＭＳ２のようなＭＢＭＳセッション又は別のＭＢＭＳサービス／セッションがある仕方で変化したことをベースステーションＢ２にシグナリングする（Ｂ２１）。これらの変化は、少なくとも、ＭＢＭＳサービス／セッションが、上述したように、進行中であるか、新たに開始するか、変化するか及び／又は消失することである。ベースステーションＢ２は、次いで、ＵＥ３へシグナリングして（Ｂ２３）、受信した変化の指示をＵＥ３へ指示する。本発明の規範的な実施形態によれば、ＵＥ３は、ベースステーションＢ１へシグナリングして（Ｃ２２）、それに変化を指示し、そしてベースステーションＢ１は、ＵＥ３へ変化をシグナリングし（Ｃ２１）、及び／又はどこで関連ＭＢＭＳ情報を得るべきかＵＥ３へ指示する。更に、本発明の非限定の規範的実施形態において、ＵＥ３は、ベースステーションＢ２へシグナリングして（Ｂ３２）、それに変化を通知すべきであることを指示する。ベースステーションＢ２は、ベースステーションＢ１へシグナリングして（Ｂ２２）、通知されるべき要望をＵＥ３へ中継する。ベースステーションＢ１は、上述したように、ＵＥ３へ直接シグナリングするか（Ｃ２１）、又はベースステーションＢ１は、要求されたＭＢＭＳ変化情報、及び／又はＵＥ３が望ましいＭＢＭＳ情報をどこで得られるかに関する情報と共に、ベースステーションＢ２へシグナリングする（Ｂ２１）。次いで、ベースステーションＢ２は、この情報又は同様の情報をＵＥ３へ中継する。
【００３７】
更に、本発明の規範的な実施形態は、図１に示すエリアのようなマルチ周波数カバレージエリアにおいて異なるキャリア周波数間で周波数間ハンドオーバーの判断を行うために好都合に使用される通信も提供する。
【００３８】
本発明の１つの規範的な実施形態によれば、システムは、ＭＢＭＳセルにおいてＭＣＣＨ変化通知に使用されるものと同様の又は同一の意味（ひいては、同じビットセット）をもつＭ−ＲＮＴＩメッセージを使用する。従って、ＭＢＭＳセルにおけるＭＣＣＨのどれが新たに開始するサービスに関する情報を含むかのメッセージをターミナルに指示する。この実施形態を使用することは、ＭＢＭＳセルがＭＢＭＳサービスコンテンツに関連した新たなＴＭＧＩについて他のセルに通知するだけではなく、送信されるべきＭ−ＲＮＴＩメッセージのコンテンツについても通知することを要求する。ＭＢＭＳセルは、通信カバレージエリア及び／又はセルのキャリア周波数を参照すると考えられることに注意されたい。
【００３９】
本発明の別の規範的な実施形態によれば、進行中のＭＢＭＳサービスに対するＴＭＧＩの指示は、ブロードキャストされるシステム情報の一部分としてではなく、専用のシグナリングを経て各ターミナルへ送信される。そのような指示は、典型的に、どんなＭＢＭＳサービスが利用できるか（別の周波数キャリアにおいてＭＢＭＳサービスが利用できることをＳＩＢから発見した後に行う）知り続けることに関心を示したターミナルへの応答としてターミナルへ送信される。ネットワークポリシーに基づき、別の考えられる応答は、進行中のサービスが実際にターミナルにとって関心のあるものかどうか知らずに、ＭＢＭＳを与えるキャリアへターミナルを単に引き渡すことである。
【００４０】
本発明の別の規範的な実施形態によれば、別の周波数キャリアにおいて新たに開始するＭＢＭＳサービス／セッションに関してターミナルに通知するために、そのＭＢＭＳサービスのＴＭＧＩは、ＳＩＢ、例えば、ＳＩＢ１３ｂｉｔにおいて瞬間的に（ネットワーク実施までの厳密な期間）ブロードキャストされる。これは、システム情報において全ての進行中サービスをＴＭＧＩに通知するという前記単純な基線オプションと、新たに開始するサービスのＴＭＧＩを専用のシグナリングによりＭＢＭＳサービスに以前に関心を示したＲＲＣ＿Ｃｏｎｎｅｃｔｅｄ状態の全てのターミナルに与えるという基線オプションとの間の妥協を表わす。
【００４１】
システム情報に加えて、そのような単純なＭＢＭＳ目的のためにブロードキャストされるＴＭＧＩの出現及び消失の指示で、通常のシステム情報変化手順がトリガーされるのではなく、ひいては、全てのターミナルによるシステム情報の再取得がトリガーされるのではないことが著しく望まれる。それ故、本発明の更に別の規範的な実施形態によれば、いつ新たなＴＭＧＩ（１つ又は複数）がＳＩＢに現れるかターミナルに通知するためにＭ−ＲＮＴＩメッセージが再使用される。セルにより送信される１つ以上のＭＣＣＨの変化についてターミナルに通知するという現在の目的に代わって、このようにＭ−ＲＮＴＩメッセージを再使用する可能性は、このセルによりＭＣＣＨが送信されないという事実から生じる（それらは、１つの周波数でしか送信されないので）。セルがＳＩＢからＴＭＧＩを除去することを判断するときに通知は必要とされない。
【００４２】
図２Ａ、２Ｂ及び２Ｃは、本発明の規範的な実施形態を各々示すブロック図である。図２Ａの動作は、ネットワークアクセスノード／ｅＮＢの観点、或いは本発明の種々の実施形態について詳細に述べるコアネットワークにおける別の上位ノードの観点から考えられるものである。ここに開示される規範的な実施形態によれば、ブロック２１０において、ｅＮＢ（又はその１つ以上のコンポーネント）は、あるキャリア周波数においてセルに提供されるマルチキャストサービスのセットに対して変化があることを決定する。次いで、ブロック２２０において、マルチキャストサービスのセットに対するその変化のみの指示を含むブロードキャストメッセージをコンパイルする。更に、ブロック２３０において、異なるキャリア周波数においてセルにブロードキャストメッセージを送信する。
【００４３】
図２Ａの更なる詳細は、少なくとも本書に詳細に述べる種々の非限定実施形態を要約するものである。特に、図２Ａのブロック２４０において、前記変化は、出現又は消失するマルチキャストサービスのセットの中の少なくとも１つのマルチキャストサービスを含み、そしてブロードキャストメッセージは、少なくとも１つの出現又は消失するマルチキャストサービスの各々に対する識別子を含む。ベースステーションから受け取られたメッセージに基づいて決定がなされる別の実施形態がブロック２５０に示されている。更に、ブロック２６０に示されたように、この方法は、マルチメディアブロードキャストサービス無線ネットワーク一時的識別子でスクランブルされた物理的ダウンリンクのコントロールチャンネルブロードキャストメッセージをコンパイルすることを含み、その識別子は、例えば、マルチキャストサービスを提供する周波数セルにおいて、システム情報ブロックが変化されることを指示する。ブロック２７０に示したように、物理的ダウンリンクのコントロールチャンネルブロードキャストメッセージは、周波数のマルチキャストサービスを提供するセルにおいてどのマルチキャストコントロールチャンネルがコンテンツを変化させたかの指示を含む。
【００４４】
ブロック２１０、２２０及び２３０の実施形態は、ブロック２４０、２５０、２６０及び２７０のいずれかと結合することができる。
【００４５】
図２Ｂの動作も、ネットワークアクセスノード／ｅＮＢの観点、或いは本発明の種々の実施形態について詳細に述べるコアネットワークにおける別の上位ノードの観点から考えられるものである。ここに開示される規範的な実施形態によれば、ブロック２８０において、ｅＮＢのような装置は、あるキャリア周波数においてセルによりサービスされるターミナル装置に、少なくとも１つの他のキャリア周波数において少なくとも１つの他のセルで利用できるマルチキャストサービスが通知されるとの指示を受け取る。更に、ブロック２８５において、その指示に応答して、そのターミナル装置に、少なくとも１つの他のキャリア周波数において少なくとも１つの他のセルで利用できるマルチキャストサービスの識別子をシグナリングする。
【００４６】
更に、図２Ｃのブロック２９０において、ある周波数セルから、少なくとも１つの他のキャリア周波数において少なくとも１つの他のセルで少なくとも１つのマルチキャストサービスが利用できるという指示を受け取る。ブロック２９５において、その指示に応答して、少なくとも１つの他のキャリア周波数において少なくとも１つの他のセルで利用できる少なくとも１つのマルチキャストサービスをターミナル装置に通知するとの指示を送出する。
【００４７】
図３は、本発明の規範的な実施形態の具現化に使用するのに適した種々の電子装置及びデバイスの簡単なブロック図である。図３において、第１のネットワークアクセスノード／ｅＮＢ２２がＸ２インターフェイスを経て第２のネットワークアクセスノード／ｅＮＢ２３に結合され、前者は、ワイヤレスリンク７０Ａ、７０Ｂを経て、一般的にユーザ装置ＵＥと称される移動ターミナルのような２つの装置２０、２１と通信を行うように示されている。
【００４８】
アクセスノード２２、２３は、更に、おそらくＬＴＥシステムのケースではサービングゲートウェイのような上位ネットワークノードを経て、更に別のネットワーク（例えば、公衆交換電話ネットワークＰＳＴＮ及び／又はデータ通信ネットワーク／インターネット）に通信結合される。
【００４９】
第１のＵＥ２０は、少なくとも１つのデータプロセッサ（ＤＰ）２０Ａのような処理手段と、少なくとも１つのコンピュータプログラム（ＰＲＯＧ）２０Ｃを記憶する少なくとも１つのコンピュータ読み取り可能なメモリ（ＭＥＭ）２０Ｂのような記憶手段と、１つ以上のアンテナ２０Ｆを経てノードＢ２２と両方向ワイヤレス通信するための送信器ＴＸ２０Ｄ及び受信器ＲＸ２０Ｅのような通信手段と、を備えている。第１のＵＥ２０のメモリ２０Ｂ内には、ＵＥ２０のＭＢＭＳユニット２０Ｇもあり、これは、マルチキャスト又はマルチメディアブロードキャストサービスに関する専用のシグナリング及び／又はブロードキャストメッセージを処理するように動作する。第２のＵＥ２１も、ブロック２１Ａ、２１Ｂ、２１Ｃ、２１Ｄ、２１Ｆ及び２１Ｇと共に同様に機能する。
【００５０】
又、第１のアクセスノード又はｅＮＢ２２も、少なくとも１つのデータプロセッサ（ＤＰ）２２Ａのような処理手段と、少なくとも１つのコンピュータプログラム（ＰＲＯＧ）２２Ｃを記憶する少なくとも１つのコンピュータ読み取り可能なメモリ（ＭＥＭ）２２Ｂのような記憶手段と、１つ以上のアンテナ２２Ｆ及びモデム２２Ｈを経てその関連ユーザ装置２０、２１と両方向ワイヤレス通信するための送信器ＴＸ２２Ｄ及び受信器ＲＸ２２Ｅのような通信手段と、を備えている。又、第１のアクセスノード２２は、そのメモリにＵＥ２１のＭＢＭＳユニット２２Ｇを記憶しており、これは、マルチキャスト又はマルチメディアブロードキャストサービスに関する専用のシグナリング及び／又はブロードキャストメッセージを処理するように動作する。ある実施形態では、このＭＢＭＳユニット２２Ｇは、本書に開示され且つ少なくとも図２に示された本発明の規範的な実施形態を遂行するように構成される。
【００５１】
第２のアクセスノード又はｅＮＢ２３も、ブロック２３Ａ、２３Ｂ、２３Ｃ、２３Ｄ、２３Ｆ及び２３Ｈと共に同様に機能する。第２のアクセスノード２３は、これら教示の全ての実施形態において第１のアクセスノードと同じであってもよいし又はそうでなくてもよい。第２のアクセスノードは、マルチキャスト又はマルチメディアブロードキャストサービスに関連付けられる。
【００５２】
ＵＥ２０、２１及び第１のアクセスノード２２におけるＰＲＯＧ２０Ｃ、２１Ｃ、２２Ｃの１つ以上は、その関連ＤＰ２０Ａ、２１Ａ、２２Ａにより実行されたときに装置が前記で詳細に述べた本発明の規範的な実施形態に基づいて動作できるようにするプログラムインストラクションを含むものと仮定する。この点に関して、本発明の規範的な実施形態は、ＭＥＭ２０Ｂ、２１Ｂ、２２Ｂに記憶されたコンピュータソフトウェアにより少なくとも一部分具現化され、このソフトウェアは、各装置２０、２１、２２のＤＰ２０Ａ、２１Ａ、２２Ａにより実行されるか、ハードウェアにより実行されるか、或いは有形に記憶されたソフトウェア及びハードウェア（並びに有形に記憶されたファームウェア）の組み合わせにより実行される。本発明のこれらの観点を具現化する電子装置は、全ＵＥ２０、２１又はアクセスノード２２である必要はなく、規範的な実施形態は、それらの１つ以上のコンポーネント、例えば、上述した有形に記憶されたソフトウェア、ハードウェア、ファームウェア及びＤＰ、又はシステムオンチップＳＯＣ、又は特定用途向け集積回路ＡＳＩＣ、又はデジタル信号プロセッサＤＳＰ、又はモデム、或いはＳＩＭカードと一般的に称される加入者アイデンティティモジュールにより具現化されてもよい。
【００５３】
ＵＥ２０、２１の種々の実施形態は、セルラー電話、データカード、ＵＳＢドングル、（これに限定されないが）ラップトップ／パルムトップ／タブレットコンピュータを含むワイヤレス通信能力を有するパーソナルポータブルデジタル装置、デジタルカメラ、音楽装置、及びインターネット機器を含むが、これに限定されない。ここに述べるＵＥ２０、２１の他の実施形態は、ユーザインターフェイスを直接もたないがユーザのフリー動作のために遠隔配置されるＭ２Ｍ装置として具現化されてもよい。
【００５４】
コンピュータ読み取り可能なＭＥＭ２０Ｂ、２１Ｂ、２２Ｂの種々の実施形態は、ローカル技術環境に適したデータ記憶技術形式を含み、これは、半導体ベースのメモリ装置、磁気メモリ装置及びシステム、光学メモリ装置及びシステム、固定メモリ、除去可能なメモル、ディスクメモリ、フラッシュメモリ、ＤＲＡＭ、ＳＲＡＭ、ＥＥＰＲＯＭ、等を含むが、これに限定されない。ＤＰ２０Ａ、２１Ａ、２２Ａの種々の実施形態は、汎用コンピュータ、特殊目的コンピュータ、マイクロプロセッサ、デジタル信号プロセッサ（ＤＳＰ）、及びマルチコアプロセッサを含むが、これに限定されない。
【００５５】
一般的に、種々の実施形態は、ハードウェア又は特殊目的回路、ソフトウェア、ロジック、又はその組み合わせで具現化される。例えば、ある態様は、ハードウェアで具現化される一方、他の態様は、コントローラ、マイクロプロセッサ又は他のコンピューティング装置により実行されるファームウェア又はソフトウェアで具現化されるが、本発明は、それに限定されない。本発明の種々の態様は、ブロック図、フローチャートとして、又は他の絵画的表現を使用して、図示して説明したが、ここに述べるそれらのブロック、装置、システム、技術又は方法は、非限定例として、ハードウェア、ソフトウェア、ファームウェア、特殊目的回路又はロジック、汎用ハードウェア又はコントローラ又は他のコンピューティング装置、或いはその組み合わせで具現化されてもよいことを理解されたい。
【００５６】
本発明の実施形態は、集積回路モジュールのような種々のコンポーネントで具現化される。集積回路の設計は、概して高度に自動化されたプロセスである。論理レベル設計を、半導体基板上にエッチングされて成形される準備のできた半導体回路設計へと変換するのに、複雑で且つパワフルなソフトウェアツールを利用することができる。
【００５７】
以上の記述は、本発明を実施するために本発明者により現在意図される最良の方法及び装置の完全且つ知識的な記述を一例として非限定的に与えるものである。しかしながら、当業者であれば、以上の記述を添付図面及び特許請求の範囲と共に読んだときには種々の変更や応用が明らかとなろう。しかしながら、本発明の教示の全てのそのような及び同様の変更は、本発明の範囲内に包含される。
【００５８】
用語「接続(connected)」「結合(coupled)」又はその変形は、２つ以上の要素間の直接的又は間接的な接続又は結合を意味し、そして一緒に「接続」又は「結合」された２つの要素間に１つ以上の中間要素が存在することを包含することに注意されたい。要素間の結合又は接続は、物理的、論理的、又はその組み合わせである。ここに使用されるように、２つの要素は、非限定的で且つ非徹底的な例として、１つ以上のワイヤ、ケーブル及び／又はプリント電気接続の使用により、並びに高周波領域、マイクロ波領域、及び光学（可視及び非可視の両方）領域に波長を有する電磁エネルギーのような電磁エネルギーの使用により、一緒に「接続」又は「結合」されると考えられる。
【００５９】
以上、本発明の好ましい実施形態の幾つかの特徴は、他の特徴を対応的に使用せずに、効果的に使用することができる。従って、以上の説明は、本発明の原理を単に例示するものに過ぎず、それに限定されないと考えるべきである。
【符号の説明】
【００６０】
２０、２１：ユーザ装置（ＵＥ）
２０Ａ、２１Ａ、２２Ａ、２３Ａ：データプロセッサ（ＤＰ）
２０Ｂ、２１Ｂ、２２Ｂ、２３Ｂ：コンピュータ読み取り可能なメモリ（ＭＥＭ）
２０Ｃ、２１Ｃ、２２Ｃ、２３Ｃ：コンピュータプログラム（ＰＲＯＧ）
２０Ｄ、２１Ｄ、２２Ｄ、２３Ｄ：送信器ＴＸ
２０Ｅ、２１Ｅ、２２Ｅ、２３Ｅ：受信器ＲＸ
２０Ｆ、２１Ｆ、２２Ｆ、２３Ｆ：アンテナ
２０Ｇ、２１Ｇ、２２Ｇ、２３Ｇ：ＭＢＭＳユニット
２２：第１のネットワークアクセスノード／ｅＮＢ
２３：第２のネットワークアクセスノード／ｅＮＢ
７０Ａ、７０Ｂ：ワイヤレスリンク
【図１】
0005798684.tif 000002
【図２】
0005798684.tif 000003
【図３】
0005798684.tif 000004
【図４】
0005798684.tif 000005
【図５】
0005798684.tif 000006
【図６】
0005798684.tif 000007
【図７】
0005798684.tif 000008